(57)【要約】  本開示は、セル管理方法、端末及びネットワーク側装置を提供する。端末に適用されるセル管理方法は、ネットワーク側装置によって送信された、セル管理動作をトリガするトリガ条件及び測定対象を含む設定情報を受信することと、ターゲット測定対象に対してターゲットトリガ条件に対応する測定動作を実行して、測定結果を取得することと、測定結果がターゲットトリガ条件を満足すれば、ターゲットセルに対して管理動作を実行することと、を含み、ターゲット測定対象は、設定情報に含まれる測定対象のいずれかであり、ターゲットトリガ条件は、ターゲット測定対象に関連付けられる。【選択図】  図３
2021526771.tif 000002
【特許請求の範囲】
【請求項１】
端末に適用されるセル管理方法であって、
ネットワーク側装置によって送信された、セル管理動作をトリガするトリガ条件及び測定対象を含む設定情報を受信することと、
ターゲット測定対象に対してターゲットトリガ条件に対応する測定動作を実行して、測定結果を取得することと、
前記測定結果が前記ターゲットトリガ条件を満足すれば、ターゲットセルに対して管理動作を実行することと、を含み、
前記ターゲット測定対象は、前記設定情報に含まれる測定対象のいずれかであり、前記ターゲットトリガ条件は、前記ターゲット測定対象に関連付けられる、セル管理方法。
【請求項２】
指示情報を取得することと、
前記取得された測定結果に対して前記指示情報に対応するターゲット動作を実行することと、をさらに含み、
前記指示情報は、測定結果を報告するか否かを指示し、前記ターゲット動作は、報告動作又は報告放棄動作である、請求項１に記載のセル管理方法。
【請求項３】
前記指示情報は、前記トリガ条件を満足する測定結果を報告するか否かを指示する、請求項２に記載のセル管理方法。
【請求項４】
前記設定情報は、前記ターゲットトリガ条件に対応する管理情報をさらに含み、前記指示情報は、前記管理動作が前記管理情報に対応する管理動作である場合には、前記ターゲットトリガ条件を満足する測定結果を報告するか否かを指示する、請求項３に記載のセル管理方法。
【請求項５】
前記指示情報は、ネットワーク側装置によって設定されるか、又はプロトコルによって規定される、請求項２に記載のセル管理方法。
【請求項６】
前記設定情報は、トリガ条件と測定対象との関連情報をさらに含む、請求項１に記載のセル管理方法。
【請求項７】
前記設定情報は、前記ターゲットトリガ条件に対応する管理情報をさらに含み、前記ターゲットセルに対して管理動作を実行することは、
前記ターゲットセルに対して前記管理情報に対応する管理動作を実行することを含む、請求項１に記載のセル管理方法。
【請求項８】
前記設定情報は、セルリストを含み、前記設定情報に含まれる測定対象は、前記セルリストにおけるセルを含む、請求項１に記載のセル管理方法。
【請求項９】
ネットワーク側装置に適用されるセル管理方法であって、
セル管理動作をトリガするトリガ条件及び測定対象を含む設定情報を端末に送信することを含む、セル管理方法。
【請求項１０】
測定結果を報告するか否かを指示する指示情報を前記端末に送信することをさらに含む、請求項９に記載のセル管理方法。
【請求項１１】
前記指示情報は、前記トリガ条件を満足する測定結果を報告するか否かを指示し、
又は
前記設定情報が管理情報をさらに含む場合には、前記指示情報は、前記端末によって実行される管理動作が前記管理情報に対応する管理動作である場合には、前記トリガ条件を満足する測定結果を報告するか否かを指示する、請求項１０に記載のセル管理方法。
【請求項１２】
前記設定情報は、トリガ条件と測定対象との関連情報をさらに含む、請求項９に記載のセル管理方法。
【請求項１３】
前記設定情報は、セルリストを含み、前記設定情報に含まれる測定対象は、前記セルリストにおけるセルを含む、請求項９に記載のセル管理方法。
【請求項１４】
ネットワーク側装置によって送信された、セル管理動作をトリガするトリガ条件及び測定対象を含む設定情報を受信する受信モジュールと、
ターゲット測定対象に対してターゲットトリガ条件に対応する測定動作を実行して、測定結果を取得する測定モジュールと、
前記測定結果が前記ターゲットトリガ条件を満足すれば、ターゲットセルに対して管理動作を実行する第１の管理モジュールと、を含み、
前記ターゲット測定対象は、前記設定情報に含まれる測定対象のいずれかであり、前記ターゲットトリガ条件は、前記ターゲット測定対象に関連付けられる、端末。
【請求項１５】
指示情報を取得する第１の取得モジュールと、
前記取得された測定結果に対して前記指示情報に対応するターゲット動作を実行する第２の管理モジュールと、をさらに含み、
前記指示情報は、測定結果を報告するか否かを指示し、前記ターゲット動作は、報告動作又は報告放棄動作である、請求項１４に記載の端末。
【請求項１６】
前記指示情報は、前記トリガ条件を満足する測定結果を報告するか否かを指示する、請求項１５に記載の端末。
【請求項１７】
前記設定情報は、前記ターゲットトリガ条件に対応する管理情報をさらに含み、前記指示情報は、前記管理動作が前記管理情報に対応する管理動作である場合には、前記ターゲットトリガ条件を満足する測定結果を報告するか否かを指示する、請求項１６に記載の端末。
【請求項１８】
前記指示情報は、ネットワーク側装置によって設定されるか、又はプロトコルによって規定される、請求項１５に記載の端末。
【請求項１９】
前記設定情報は、トリガ条件と測定対象との関連情報をさらに含む、請求項１４に記載の端末。
【請求項２０】
前記設定情報は、前記ターゲットトリガ条件に対応する管理情報をさらに含み、
前記第１の管理モジュールは、具体的には、前記測定結果が前記ターゲットトリガ条件を満足すれば、前記ターゲットセルに対して前記管理情報に対応する管理動作を実行する、請求項１４に記載の端末。
【請求項２１】
前記設定情報は、セルリストを含み、前記設定情報に含まれる測定対象は、前記セルリストにおけるセルを含む、請求項１４に記載の端末。
【請求項２２】
セル管理動作をトリガするトリガ条件及び測定対象を含む設定情報を端末に送信する第１の送信モジュールを含む、ネットワーク側装置。
【請求項２３】
測定結果を報告するか否かを指示する指示情報を前記端末に送信する第２の送信モジュールをさらに含む、請求項２２に記載のネットワーク側装置。
【請求項２４】
前記指示情報は、前記トリガ条件を満足する測定結果を報告するか否かを指示し、或いは、
前記設定情報が管理情報をさらに含む場合には、前記指示情報は、前記端末によって実行される管理動作が前記管理情報に対応する管理動作である場合には、前記トリガ条件を満足する測定結果を報告するか否かを指示する、請求項２３に記載のネットワーク側装置。
【請求項２５】
前記設定情報は、トリガ条件と測定対象との関連情報をさらに含む、請求項２２に記載のネットワーク側装置。
【請求項２６】
前記設定情報は、セルリストを含み、前記設定情報に含まれる測定対象は、前記セルリストにおけるセルを含む、請求項２２に記載のネットワーク側装置。
【請求項２７】
プロセッサと、メモリと、前記メモリに記憶されて前記プロセッサ上で実行可能で、前記プロセッサによって実行されると、請求項１〜８のいずれか１項に記載のセル管理方法のステップを実現するコンピュータプログラムとを含む、端末。
【請求項２８】
プロセッサと、メモリと、前記メモリに記憶されて前記プロセッサ上で実行可能で、前記プロセッサによって実行されると、請求項９〜１３のいずれか１項に記載のセル管理方法のステップを実現するコンピュータプログラムとを含む、ネットワーク側装置。
【請求項２９】
プロセッサによって実行されると、請求項１〜１３のいずれか１項に記載のセル管理方法のステップを実現するコンピュータプログラムが記憶されている、コンピュータ可読記憶媒体。
【発明の詳細な説明】
【技術分野】
【０００１】
（関連出願の相互参照）
本願は、２０１８年６月１５日に提出された中国特許出願第２０１８１０６２２０２３．４号の優先権を主張するものであり、その全ての内容は参照により本願に組み込まれるものとする。
本開示の実施例は、通信の技術分野に関し、特にセル管理方法、端末及びネットワーク側装置に関する。
【背景技術】
【０００２】
関連技術において、セル管理効率を向上させるために、条件付きトリガの方式でセルを管理することができ、管理方式は、セルの追加、削除、修正又は切替を含んでよい。
【０００３】
条件付きセル管理方式は、ネットワーク側装置が、端末によって報告された測定結果に基づいて端末に対して１つ以上の候補ターゲットセルを予め用意し、かつ候補ターゲットセルリスト、候補ターゲットセルに対応する管理トリガ条件、及び候補ターゲットセルに対応するリソース設定などを含む条件付き管理コマンドを端末に送信し、端末が、条件付き管理コマンドを受信した後にセル管理動作を直ちに実行せず、候補セルが予め設定された管理トリガ条件を満足すると決定してこそ該候補セルに対して管理動作を実行できることである。
【０００４】
これにより、関連技術における条件付きセル管理方式は動作が煩雑である。
【発明の概要】
【発明が解決しようとする課題】
【０００５】
本開示の実施例は、関連技術における、条件付きセル管理方式の動作が煩雑であるという課題を解決するために、セル管理方法、端末及びネットワーク側装置を提供する。
【０００６】
第１の態様では、本開示の実施例に係る、端末に適用されるセル管理方法は、
ネットワーク側装置によって送信された、セル管理動作をトリガするトリガ条件及び測定対象を含む設定情報を受信することと、
ターゲット測定対象に対してターゲットトリガ条件に対応する測定動作を実行して、測定結果を取得することと、
前記測定結果が前記ターゲットトリガ条件を満足すれば、ターゲットセルに対して管理動作を実行することと、を含み、
前記ターゲット測定対象は、前記設定情報に含まれる測定対象のいずれかであり、前記ターゲットトリガ条件は、前記ターゲット測定対象に関連付けられる。
【０００７】
第２の態様では、本開示の実施例に係る、ネットワーク側装置に適用されるセル管理方法は、
セル管理動作をトリガするトリガ条件及び測定対象を含む設定情報を端末に送信することを含む。
【０００８】
第３の態様では、本開示の実施例に係る端末は、
ネットワーク側装置によって送信された、セル管理動作をトリガするトリガ条件及び測定対象を含む設定情報を受信する受信モジュールと、
ターゲット測定対象に対してターゲットトリガ条件に対応する測定動作を実行して、測定結果を取得する測定モジュールと、
前記測定結果が前記ターゲットトリガ条件を満足すれば、ターゲットセルに対して管理動作を実行する第１の管理モジュールと、を含み、
前記ターゲット測定対象は、前記設定情報に含まれる測定対象のいずれかであり、前記ターゲットトリガ条件は、前記ターゲット測定対象に関連付けられる。
【０００９】
第４の態様では、本開示の実施例に係るネットワーク側装置は、
セル管理動作をトリガするトリガ条件及び測定対象を含む設定情報を端末に送信する第１の送信モジュールを含む。
【００１０】
第５の態様では、本開示の実施例に係る端末は、プロセッサと、メモリと、前記メモリに記憶されて前記プロセッサ上で動作可能で、前記プロセッサによって実行されると、上記端末に適用されるセル管理方法のステップを実現するコンピュータプログラムとを含む。
【００１１】
第６の態様では、本開示の実施例に係るネットワーク側装置は、プロセッサと、メモリと、前記メモリに記憶されて前記プロセッサ上で動作可能で、前記プロセッサによって実行されると、上記ネットワーク側装置に適用されるセル管理方法のステップを実現するコンピュータプログラムとを含む。
【００１２】
第７の態様では、本開示の実施例に係るコンピュータ可読記憶媒体には、プロセッサによって実行されると、上記端末に適用されるセル管理方法のステップ又は上記ネットワーク側装置に適用されるセル管理方法のステップを実現するコンピュータプログラムが記憶されている。
【発明の効果】
【００１３】
本開示の実施例において、ネットワーク側装置によって送信され、端末によって受信された設定情報には、セル管理動作をトリガするトリガ条件が含まれる。このように、端末は、上記設定情報を受信すれば、ターゲット測定対象に対してターゲットトリガ条件に対応する測定動作を実行し、かつ上記測定動作に対応する測定結果が前記ターゲットトリガ条件を満足する場合には、ターゲットセルに対する管理動作を実行することができる。つまり、ネットワーク側装置は、上記設定情報を送信するだけで、端末をトリガして測定動作及び管理動作を実行することができるため、条件付きセル管理の動作を簡略化し、さらにシステムリソースを節約することができる。
【００１４】
本開示の実施例に係る技術手段をより明確に説明するために、以下、本開示の実施例の説明に必要な図面を簡単に説明し、明らかに、以下に説明される図面は、本開示のいくつかの実施例に過ぎず、当業者であれば、創造的な労働をしない前提で、これらの図面に基づいて他の図面を得ることができる。
【図面の簡単な説明】
【００１５】
【図１】本開示の実施例に係る条件付き切替のフローチャートである。
【図２】本開示の実施例が適用可能なネットワークシステムの構成図である。
【図３】本開示の実施例に係るセル管理方法のフローチャート（その１）である。
【図４】本開示の実施例に係るセル管理方法のフローチャート（その２）である。
【図５】本開示の実施例に係る端末の構成図（その１）である。
【図６】本開示の実施例に係るネットワーク側装置の構成図（その１）である。
【図７】本開示の実施例に係る端末の構成図（その２）である。
【図８】本開示の実施例に係るネットワーク側装置の構成図（その２）である。
【発明を実施するための形態】
【００１６】
以下、本開示の実施例における図面を参照しながら、本開示の実施例における技術手段を明確かつ完全的に説明する。明らかに、説明される実施例は、本開示の実施例の一部に過ぎず、全てではない。本開示の実施例に基づいて、当業者が創造的な労働をしない前提で得る他の全ての実施例は、いずれも本開示の保護範囲に属するものである。
【００１７】
本願の明細書及び特許請求の範囲における用語「第１」、「第２」などは、類似した対象を区別するためのものであり、必ずしも特定の順序又は優先順位を説明するためのものではない。ここで説明した本願の実施例が、例えばここでの図示説明又は説明以外の順序でも実施できるように、このように使用されたデータは、適宜入れ替えてもよいことを理解されたい。また、用語「含む」、「備える」及びそれらのいかなる変形は、非排他的な包含をカバーすることを意図し、例えば、一連のステップ又はユニットを含むプロセス、方法、システム、製品又は装置は、明確に示されたステップ又はユニットに限定されず、明確に示されていないか又はこれらのプロセス、方法、システム、製品又は装置に固有の他のステップ又はユニットを含んでもよい。また、明細書及び特許請求の範囲において「及び／又は」を用いるのは、接続対象の少なくとも１つを表し、例えば、Ａ及び／又はＢ及び／又はＣは、Ａが単独で存在し、Ｂが単独で存在し、Ｃが単独で存在し、Ａ及びＢが同時に存在し、Ｂ及びＣが同時に存在し、Ａ及びＣが同時に存在し、Ａ、Ｂ及びＣが同時に存在するという７種類の場合を表す。
【００１８】
理解を容易にするために、以下、本開示の実施例に係るいくつかの用語を説明する。
【００１９】
条件付き切替：
本開示の実施例において、条件付き切替プロセスは以下のステップＳ１〜Ｓ８を含んでよい。
【００２０】
ステップＳ１では、ソースノードは、１つのターゲットノード又は複数のターゲットノードに切替要求（Ｈａｎｄｏｖｅｒ  Ｒｅｑｕｅｓｔ、ＨＯ  Ｒｅｑｕｅｓｔ）を送信する。
【００２１】
例えば、図１において、ソースノードがターゲットノードａとターゲットノードｂに切替要求を送信することを例として説明する。
【００２２】
ステップＳ２では、ターゲットノードは、ソースノードに切替確認情報、即ち、切替要求応答（ＨＯ  Ｒｅｑｕｅｓｔ  ＡＣＫ）をフィードバックする。
【００２３】
図１に示すように、ターゲットノードａとターゲットノードｂは、それぞれソースノードに切替要求応答を送信する。
【００２４】
ステップＳ３では、ソースノードは、条件付き切替設定（Ｃｏｎｄｉｔｉｏｎａｌ  ＨＯ  Ｃｏｎｆｉｇｕｒａｔｉｏｎ）を端末に送信する。
【００２５】
該ステップでは、ソースノードは、条件付き切替の設定情報を端末に送信し、かつ設定情報の予約（Ｒｅｓｏｕｒｃｅ  Ｒｅｓｅｒｖａｔｉｏｎ）を行う。
【００２６】
ステップＳ４では、端末は、候補セル条件を評価し、かつ１つのターゲットセルを選択して切替を行う。
【００２７】
該ステップでは、端末は、候補セルの条件を満足するか否かを評価し、かつ条件を満足する１つのターゲットセルを選択して切替を行うことができる。
【００２８】
図１に示すように、端末は、ターゲットノードａとターゲットノードｂの条件を満足するか否かを評価し、端末がターゲットノードａの条件を満足する場合、ターゲットノードａに対してランダムアクセス手順を開始することができる。
【００２９】
ステップＳ５では、端末は、選択されたターゲットセルでランダムアクセス手順を開始する。
【００３０】
上記ランダムアクセスは、無競合（Ｃｏｎｔｅｎｔｉｏｎ  Ｆｒｅｅ）型ランダムアクセス又は競合型ランダムアクセス（Ｃｏｎｔｅｎｔｉｏｎ  ｂａｓｅｄ  Ｒａｎｄｏｍ  Ａｃｃｅｓｓ）などを含んでよいことを理解されたい。
【００３１】
図１に示すように、端末は、ターゲットノードａを選択してランダムアクセスを開始する。
【００３２】
ステップＳ６では、端末は、選択されたターゲットノードに切替完了情報を送信する。
【００３３】
図１に示すように、端末は、ターゲットノードａに切替完了情報（ＨＯ  Ｃｏｍｐｌｅｔｅ）を送信する。
【００３４】
ステップＳ７では、ソースノードは、選択されていない他のターゲットノードに条件付き切替キャンセルコマンドを送信する。
【００３５】
図１に示すように、ソースノードは、ターゲットノードｂに条件付き切替キャンセルコマンド（Ｃｏｎｄｉｔｉｏｎａｌ  ＨＯ  Ｃａｎｃｅｌｌａｔｉｏｎ）を送信する。
【００３６】
ステップＳ８では、選択されていない他のターゲットノードは、ソースノードに条件付き切替キャンセル確認コマンドを送信する。
【００３７】
図１に示すように、ソースノードは、ターゲットノードｂに条件付き切替キャンセルコマンド（Ｃｏｎｄｉｔｉｏｎａｌ  ＨＯ  Ｃａｎｃｅｌｌａｔｉｏｎ  Ｃｏｎｆｉｒｍａｔｉｏｎ）を送信する。
【００３８】
デュアル接続：
５Ｇ（５ｔｈ−Ｇｅｎｅｒａｔｉｏｎ、第５世代）システムにおいて、端末は、デュアル接続（Ｄｕａｌ  Ｃｏｎｎｅｃｔｉｖｉｔｙ、ＤＣ）アーキテクチャを採用し、マスターセルグループ（Ｍａｓｔｅｒ  Ｃｅｌｌ  Ｇｒｏｕｐ、ＭＣＧ）とセカンダリセルグループ（Ｓｅｃｏｎｄａｒｙ  Ｃｅｌｌ  Ｇｒｏｕｐ、ＳＣＧ）の２つのセルグループを含み、ＭＣＧは、ネットワーク側のマスターノード（Ｍａｓｔｅｒ  Ｎｏｄｅ、ＭＮ）に対応し、該ＳＣＧは、ネットワーク側のセカンダリノード（Ｓｅｃｏｎｄａｒｙ  Ｎｏｄｅ、ＳＮ）に対応する。ＭＣＧは、プライマリセル（Ｐｒｉｍａｒｙ  Ｃｅｌｌ、ＰＣｅｌｌ）とセカンダリセル（Ｓｅｃｏｎｄａｒｙ  Ｃｅｌｌ、ＳＣｅｌｌ）を含み、ＳＣＧは、プライマリセカンダリセル（Ｐｒｉｍａｒｙ  Ｓｅｃｏｎｄａｒｙ  Ｃｅｌｌ、ＰＳＣｅｌｌ）とＳＣｅｌｌを含む。ＰＣｅｌｌとＰＳＣｅｌｌは、特殊セル（Ｓｐｅｃｉａｌ  Ｃｅｌｌ、ＳｐＣｅｌｌ）と総称してよい。
【００３９】
図２は、本開示の実施例が適用可能なネットワークシステムの構成図であり、図２に示すように、ネットワークを介して通信可能な端末２１、ソースノード２２及びターゲットノード２３を含む。
【００４０】
本開示の実施例において、端末２１は、端末又はユーザ端末（Ｕｓｅｒ  Ｅｑｕｉｐｍｅｎｔ、ＵＥ）と称してよく、端末２１は、携帯電話、タブレットコンピュータ（Ｔａｂｌｅｔ  Ｐｅｒｓｏｎａｌ  Ｃｏｍｐｕｔｅｒ）、ラップトップパソコン（Ｌａｐｔｏｐ  Ｃｏｍｐｕｔｅｒ）、パーソナルディジタルアシスタント（Ｐｅｒｓｏｎａｌ  Ｄｉｇｉｔａｌ  Ａｓｓｉｓｔａｎｔ、ＰＤＡ）、モバイルインターネットデバイス（Ｍｏｂｉｌｅ  Ｉｎｔｅｒｎｅｔ  Ｄｅｖｉｃｅ、ＭＩＤ）、ウェアラブルデバイス（Ｗｅａｒａｂｌｅ  Ｄｅｖｉｃｅ）又は車載装置などの端末側装置であってよく、なお、本開示の実施例において、端末２１の具体的なタイプを限定しない。
【００４１】
ソースノード２２は、端末２１が現在接続しているネットワークノードのうちの１つであってよく、例えば、端末２１が現在接続しているネットワークノードがマスターノードＭＮとセカンダリノードＳＮを含むと、上記ソースノード２２はマスターノードＭＮとセカンダリノードＳＮのいずれかであってよい。
【００４２】
ターゲットノード２３は、端末２１が現在接続しているネットワークノードのうちのネットワークノードであってもよく、端末２１が現在接続しないネットワークノードであってもよい。本開示の実施例において、端末２１が行うセル設定は、セル追加、セル削除、セル修正及びセル切替のうちの少なくとも１つの設定を含んでよいため、端末２１は、セル設定を行う過程において、ターゲットノード２３と接続を確立したり、ターゲットノード２３との接続を削除したり、ターゲットノード２３の設定情報を修正したりする場合がある。
【００４３】
また、本開示の実施例において適用されるネットワーク構造は、１つ以上のターゲットノード２３を含んでよく、図において１つのターゲットノード２３を含むことを例とする。
【００４４】
ネットワークノードは、５Ｇ及びより新しいバージョンの基地局（例えば、５Ｇ  ＮＲ  ＮＢ）、又は他の通信システムにおける基地局であってよく、或いは、ノードＢ、進化型ノードＢ、マスターノードＭＮ、セカンダリノードＳＮ又は上記分野における他の用語と呼ばれ、同じ技術的効果を達成するものであれば、上記基地局は特定の技術用語に限定されない。
【００４５】
本開示の実施例に係るセル管理方法は、条件付き切替プロセスに適用されてもよく、即ち、ソースノード２２とターゲットノード２３は、条件付き切替プロセスにおけるソース基地局とターゲット基地局であってよく、上記管理方法は、ＤＣアーキテクチャに適用されてもよい。即ち、上記ソースノード２２とターゲットノード２３は、ＤＣアーキテクチャにおけるソースセカンダリノードＳＮとターゲットセカンダリノードＳＮ、又はＤＣアーキテクチャにおけるソースマスターノードＭＮとターゲットセカンダリノードＳＮであってよい。
【００４６】
なお、本開示の実施例における端末２１、ソースノード２２及びターゲットノード２３の具体的な機能については、以下の複数の実施例を参照しながら具体的に説明する。
【００４７】
図３は、本開示の実施例に係るセル管理方法のフローチャート（その１）である。本実施例のセル管理方法は、端末に適用される。図３に示すように、本実施例のセル管理方法は、以下のステップ３０１〜３０３を含む。
【００４８】
ステップ３０１では、ネットワーク側装置によって送信された、セル管理動作をトリガするトリガ条件及び測定対象を含む設定情報を受信する。
【００４９】
本実施例において、ネットワーク側装置は、無線リソース制御（Ｒａｄｉｏ  Ｒｅｓｏｕｒｃｅ  Ｃｏｎｔｒｏｌ、ＲＲＣ）メッセージにより上記設定情報を送信することができ、当然のことながら、本開示の実施例は、これを限定せず、例えば、他のダウンリンクメッセージであってよい。
【００５０】
なお、上記設定情報中のトリガ条件（又はトリガイベント、ｅｖｅｎｔと呼ばれる）は、端末がトリガ条件を満足する場合に、セル管理動作を実行できることを示す。セル管理動作の実行は、セル追加、セル削除、セル修正及びセル切替のうちの少なくとも１つを含むが、これらに限定されない。
【００５１】
上記設定情報中のトリガ条件は、セル管理動作をトリガする閾値を含んでよいが、これに限定されない。さらに、上記設定情報中のトリガ条件は、さらにセル管理動作をトリガする測定パラメータを含んでよく、測定パラメータは、参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）、参照信号受信品質（Ｒｅｆｅｒｅｎｃｅ  Ｓｉｇｎａｌ  Ｒｅｃｅｉｖｉｎｇ  Ｑｕａｌｉｔｙ、ＲＳＲＱ）、及び信号対干渉雑音比（Ｓｉｇｎａｌ  ｔｏ  Ｉｎｔｅｒｆｅｒｅｎｃｅ  Ｐｌｕｓ  Ｎｏｉｓｅ  Ｒａｔｉｏ、ＳＩＮＲ）などのうちの少なくとも１つを含んでよいが、これらに限定されない。
【００５２】
実際の応用では、トリガ条件は、１つ以上のセルの測定パラメータであってよく、例えば、参照信号受信電力ＲＳＲＰの測定結果がネットワーク設定の閾値を満足し、例示的には、サービングセル１の参照信号受信電力ＲＳＲＰの測定結果が閾値より低く、かつ隣接セル２の参照信号受信電力ＲＳＲＰの測定結果が閾値より高い。
【００５３】
上記設定情報中の測定対象（ｍｅａｓｕｒｅ  Ｏｂｊｅｃｔ）は、周波数ビンを含むが、これに限定されない。好ましくは、測定対象は、セルをさらに含んでよい。
【００５４】
また、上記設定情報は、１つ以上のトリガ条件を含んでもよく、さらに、１つ以上の測定対象を含んでもよく、かつトリガ条件と測定対象には関連関係がある。
【００５５】
具体的には、トリガ条件と測定対象との関連関係を表す関連情報（又は、関連関係情報と呼ばれる）、例えば、測定識別子（ｍｅａｓｕｒｅ  ＩＤ）は、プロトコルによって規定されてよく、即ち、トリガ条件と測定対象との関連情報がプロトコルにおいて予め定義される。例示的には、システムは、上記関連情報をネットワーク側装置及び端末の通信プロトコルに直接的に書き込んでよい。このように、端末は、上記関連情報を通信プロトコルから直接的に読み取って、トリガ条件と測定対象との関連関係を決定することができ、ネットワーク側装置の指示に応じてトリガ条件と測定対象との関連関係を決定することがないため、システムオーバーヘッドを節約することができる。
【００５６】
当然のことながら、上記関連関係は、ネットワーク側装置によって上記設定情報に設定されてもよく、即ち、上記設定情報には、トリガ条件と測定対象との関連情報がさらに含まれ、このように、上記関連関係がプロトコルに予め定義されている場合とは異なり、トリガ条件と測定対象との関連付けの柔軟度を向上させることができる。
【００５７】
好ましい実施形態として、本ステップにおける設定情報は、トリガ条件リスト、測定対象リスト及び関連関係リストを含んでよく、具体的には、上記トリガ条件リストは、１つ以上のトリガ条件、例えば、ｅｖｅｎｔ  １及びｅｖｅｎｔ  ２を含み、測定対象リストは、１つ以上の測定対象、例えば、ｍｅａｓｕｒｅ  Ｏｂｊｅｃｔ  １及びｍｅａｓｕｒｅ  Ｏｂｊｅｃｔ  ２を含み、上記関連関係リストは、トリガ条件とセル設定対象との関連関係、例えば、ｍｅａｓｕｒｅ  ＩＤ  １とｍｅａｓｕｒｅ  ＩＤ  ２を含み、ここで、ｍｅａｓｕｒｅ  ＩＤ  １は、ｅｖｅｎｔ  １とｍｅａｓｕｒｅ  Ｏｂｊｅｃｔ  １との関連付けを識別することができ、ｍｅａｓｕｒｅ  ＩＤ  ２は、ｅｖｅｎｔ  ２とｍｅａｓｕｒｅ  Ｏｂｊｅｃｔ  ２との関連付けを識別することができる。
【００５８】
上記設定情報に含まれるトリガ条件は、トリガ条件の識別情報（ｃｏｎｄｉｔｉｏｎ  ＩＤ）であると理解できることを理解されたい。このように、トリガ条件の識別情報によるトリガ条件の識別、又は該識別情報によるトリガ条件と測定対象との関連付けを実現することができる。
【００５９】
同様に、上記設定情報に含まれる測定対象は、測定対象に対応する識別情報（ｍｅａｓｕｒｅ  Ｏｂｊｅｃｔ  ＩＤ）であると理解でき、このように、該識別情報による測定対象の識別、又は該識別情報による測定対象とトリガ条件との関連付けを実現することができる。
【００６０】
当然のことながら、上記設定情報がトリガ条件を含むことについては、設定情報は、トリガ条件のみを含んでもよく、トリガ条件に加えて、トリガ条件に対応する識別情報をさらに含んでもよい。
【００６１】
好ましくは、上記ネットワーク側装置によって送信された設定情報を受信することは、  ソースノードによって送信された設定情報を受信すること、又は、
ターゲットノードからソースノードを介して送信した設定情報を受信することを含んでよい。
【００６２】
ソースノードによって送信された設定情報を受信する実施形態において、ソースノードは、上記設定情報を送信する前に、ソースノードが１つ以上のターゲットノードとネゴシエーションしてトリガ条件を決定してよい。ネゴシエーションは、ソースノードとターゲットノードがシグナリングインタラクションを行ってトリガ条件を決定することであってよい。また、上記トリガ条件は、ソースノードとターゲットノードがネゴシエーションを行って決定されるため、該トリガ条件は、ターゲットノードのセルに対応し、つまり、該トリガ条件は、端末がターゲットノードのセルに対して管理動作を実行することをトリガすることができる。
【００６３】
例えば、ソースノードは、１つ以上のターゲットノードのセルのトリガ条件を受信した後、トリガ条件と測定対象とを関連付け、関連付け後にＲＲＣメッセージにより、上記トリガ条件及び測定対象を含む設定情報を送信してよい。なお、１つのターゲットノードは、１つ以上のセルのトリガ条件に対応してよい。
【００６４】
本実施形態において、ソースノードによって送信された設定情報を受信することにより、端末は、ソースノードを介して、１つ以上のターゲットノードに対応するトリガ条件及び測定対象を受信することができるため、伝送オーバーヘッドを節約することができる。
【００６５】
同様に、ターゲットノードからソースノードを介して送信した設定情報を受信する実施形態において、ターゲットノードがソースノードを介して端末に設定情報を送信することができ、上記ターゲットノードは、トリガ条件を送信する前に、ソースノードとネゴシエーションして上記設定情報中のトリガ条件及び測定対象を決定することができる。
【００６６】
例えば、ターゲットノードは、ソースノードによって送信された１つ以上の条件付きトリガに基づくセル管理要求情報を受信した後、トリガ条件と測定対象とを関連付け、関連付けられたリガ条件及び測定対象を設定情報に搬送してソースノードに送信し、かつソースノードを介して設定情報を端末に送信することができる。
【００６７】
本実施形態において、ターゲットノードからソースノードを介して送信した設定情報を受信するため、このように、設定情報がターゲットノードによって送信されることを実現でき、上記設定情報は、ソースノードにとって透明であり、転送又は透明伝送が行われればよいため、ソースノードの複雑さを低減し、その電力消費を節約することができる。
【００６８】
なお、上記ソースノード及びターゲットノードは、それぞれ、セル管理プロセス、例えばセル切替プロセスにおけるソース基地局及びターゲット基地局、又はＤＣにおけるソースセカンダリノードＳＮ及びターゲットセカンダリノードＳＮ、又はＤＣにおけるソースマスターノードＭＮ及びターゲットセカンダリノードＳＮなどであってよく、本開示の実施例は、これを限定しない。
【００６９】
ステップ３０２では、ターゲット測定対象に対してターゲットトリガ条件に対応する測定動作を実行して、測定結果を取得する。
【００７０】
上記ターゲット測定対象は、上記設定情報に含まれる測定対象のいずれかであり、上記ターゲットトリガ条件は、上記ターゲット測定対象に関連付けられる。
【００７１】
理解を容易にするために、ターゲット測定対象がｍｅａｓｕｒｅ  Ｏｂｊｅｃｔ  １で指示される周波数ビン１であり、かつ、ターゲット測定対象に関連付けられるターゲットトリガ条件が参照信号受信電力ＲＳＲＰに関する閾値を指示するｅｖｅｎｔ  １であることを例として説明する。具体的には、端末は、ｍｅａｓｕｒｅ  Ｏｂｊｅｃｔ  １で指示される周波数ビン１に対して測定を実行し、取得された測定結果がｅｖｅｎｔ  １で指示される参照信号受信電力ＲＳＲＰ値である。
【００７２】
ステップ３０３では、上記測定結果が上記ターゲットトリガ条件を満足すれば、ターゲットセルに対して管理動作を実行する。
【００７３】
好ましくは、上記ターゲットセルは、上記ターゲット測定対象に対応する。なお、ターゲット測定対象が周波数ビンとして表現されれば、ターゲットセルは、該周波数ビンに対応するセルであり、ターゲット測定対象がセルとして表現されれば、該セルは、ターゲットセルである。
【００７４】
理解を容易にするために、依然として、ターゲット測定対象がｍｅａｓｕｒｅ  Ｏｂｊｅｃｔ  １で指示される周波数ビン１であり、かつ、ターゲット測定対象に関連付けられるターゲットトリガ条件が参照信号受信電力ＲＳＲＰに関する閾値を指示するｅｖｅｎｔ  １であることを例として説明する。ｍｅａｓｕｒｅ  Ｏｂｊｅｃｔ  １で指示される周波数ビン１に対して測定を実行して取得された測定結果参照信号受信電力ＲＳＲＰ値が、ｅｖｅｎｔ  １で指示される参照信号受信電力ＲＳＲＰ閾値を超えると仮定すれば、該測定結果が該ターゲットトリガ条件を満足すると見なし、ターゲット測定対象に対応するターゲットセルに対して管理動作を実行することができる。
【００７５】
管理動作タイプは、追加、削除、修正及び切替のうちの少なくとも１つを含んでよいが、これらに限定されず、具体的には、ネットワーク側装置の設定に応じて決定することができ、本開示の実施例は、これを限定しない。
【００７６】
本実施例のセル管理方法において、ネットワーク側装置によって送信され、端末によって受信された設定情報には、セル管理動作をトリガするトリガ条件が含まれる。このように、端末は、上記設定情報を受信すれば、ターゲット測定対象に対してターゲットトリガ条件に対応する測定動作を実行し、かつ上記測定動作に対応する測定結果が上記ターゲットトリガ条件を満足する場合には、ターゲットセルに対する管理動作を実行することができる。つまり、ネットワーク側装置は、上記設定情報を送信するだけで、端末が測定動作及び管理動作を実行することをトリガすることができるため、条件付きセル管理動作を簡略化し、さらにシステムリソースを節約することができる。
【００７７】
また、本開示の実施例は、条件付きトリガによるセル管理を実現することができ、端末は、ターゲットトリガ条件に対応する測定結果が該ターゲットトリガ条件を満足する場合、ターゲットセルに対する管理動作を実行することができるため、セル管理動作の柔軟性を向上させ、さらに端末の通信性能を向上させることができる。
【００７８】
本開示の実施例において、関連技術において、端末がセル管理動作を実行する前に、セル測定を継続して行い測定結果を報告することにより、ネットワーク側装置が測定結果に基づいて適切なセル管理動作を端末に設定する必要があることを考慮する。また、関連技術において、ネットワーク側装置は、測定識別子（ｍｅａｓｕｒｅ  ＩＤ）によって測定報告設定（ｒｅｐｏｒｔ  Ｃｏｎｆｉｇｕｒａｔｉｏｎ  ＩＤ）と測定対象（ｍｅａｓｕｒｅ  Ｏｂｊｅｃｔ  ＩＤ）との関連関係設定情報を作成し、該関連関係設定情報を端末に送信する。端末は、該関連関係設定情報があると判断すれば、該関連関係設定情報に指定された測定対象に対する測定を開始し、かつ測定報告設定の報告条件を満足した後に測定結果をネットワーク側装置に報告し、測定結果の報告が頻繁であるため、シグナリングオーバーヘッドが大きくなる。
【００７９】
上記課題を解決するために、本開示の実施例に係るセル管理方法は、
指示情報を取得することと、
上記取得された測定結果に対して上記指示情報に対応するターゲット動作を実行することと、をさらに含んでよく、
上記指示情報は、測定結果を報告するか否かを指示し、上記ターゲット動作は、報告動作又は報告放棄動作である。
【００８０】
具体的には実現される場合、上記指示情報が測定結果を報告することを指示すれば、上記取得された測定結果に対して報告動作を実行し、上記指示情報が測定結果を報告しないことを指示すれば、上記取得された測定結果に対して報告放棄動作を実行する。上記取得された測定結果に対して報告放棄動作を実行することは、上記測定して取得された測定結果を報告しないことを理解されたい。
【００８１】
このように、端末は、測定動作に対応する測定結果を得た後、指示情報に基づいて測定報告を行うか否かを決定することにより、関連技術における測定結果が報告トリガ条件を満足すると報告動作を実行することに比べて、測定報告回数を低減し、さらにシグナリングオーバーヘッドを低減し、システムリソースを節約することができる。
【００８２】
好ましくは、上記指示情報は、ネットワーク側装置によって設定されるか、又はプロトコルによって規定される。
【００８３】
指示情報がプロトコルによって規定される実施形態において、システムは、上記指示情報をネットワーク側装置及び端末の通信プロトコルに直接的に書き込んでよい。このように、端末は、上記指示情報を通信プロトコルから直接的に読み取って、測定結果を報告するか否かを決定し、上記取得された測定結果に対して上記指示情報に対応するターゲット動作を実行することができ、ネットワーク側装置の指示に応じて指示情報を決定することないため、システムオーバーヘッドを節約することができる。
【００８４】
指示情報がネットワーク側装置によって設定される実施形態において、さらに、ネットワーク側装置は、上記設定情報に指示情報を設定してよい。このように、指示情報がプロトコルによって規定されることと異なり、ネットワーク側装置は、指示情報を柔軟に設定することができるため、指示情報の設定の柔軟性を向上させることができる。
【００８５】
さらに、上記指示情報は、上記トリガ条件を満足する測定結果を報告するか否かを指示する。
【００８６】
本実施形態において、端末は、上記トリガ条件を満足していない測定結果に対して、該測定結果を報告しなくてよい。端末は、上記トリガ条件を満足する測定結果に対して、上記指示情報に基づいて、該測定結果を報告するか否かを決定してよい。これにより測定報告回数をさらに低減し、さらにシグナリングオーバーヘッドを低減し、システムリソースを節約することができる。
【００８７】
本開示の実施例において、端末に管理動作タイプを知らせるために、好ましくは、上記設定情報は、上記ターゲットトリガ条件に対応する管理情報をさらに含み、上記指示情報は、上記管理動作が上記管理情報に対応する管理動作である場合には、上記ターゲットトリガ条件を満足する測定結果を報告するか否かを指示する。
【００８８】
管理情報は、管理動作タイプを指示し、添加、削除、修正又は切替動作のうちの少なくとも１つを含むが、これらに限定されない。
【００８９】
本実施形態において、上記指示情報は、取得された測定結果が上記ターゲットトリガ条件を満足し、かつ、端末がターゲットセルに対して実行する管理動作が上記管理情報に対応する管理動作である場合には、該測定結果を報告するか否かを指示する。
【００９０】
例示的に、上記指示情報は、取得された測定結果がターゲットトリガ条件ｅｖｅｎｔ  １を満足し、かつ、ターゲットセルに対して実行する管理動作が管理情報ｃｏｎｆｉｇｕｒａｔｉｏｎ  １に対応する管理動作である場合には、該測定結果を報告するか否かを指示する。
【００９１】
以上より、本実施形態において、指示情報が、上記管理動作が上記管理情報に対応する管理動作である場合には、上記ターゲットトリガ条件を満足する測定結果を報告することを指示し、該測定結果は、端末がターゲットセルに対する管理動作を実行した後にネットワーク側装置に報告されるものである。このように、ネットワーク側装置は、該測定結果を受信した後、該測定結果に応じてエアインタフェースパラメータの設定、変調符号化レベルなどを修正して、サービス品質を向上させることができる。
【００９２】
本開示の実施例において、端末に管理動作タイプを知らせるために、上記設定情報は、上記ターゲットトリガ条件に対応する管理情報をさらに含み、上記ターゲットセルに対して管理動作を実行することは、
上記ターゲットセルに対して上記管理情報に対応する管理動作を実行することを含む。
【００９３】
管理情報は、上記ターゲットトリガ条件に対応する管理動作タイプを指示し、添加、削除、修正又は切替動作のうちの少なくとも１つを含むが、これらに限定されない。つまり、ターゲットトリガ条件と、ターゲットトリガ条件に対応する管理情報とは、１対１の対応関係であってもよく、１対多の対応関係であってもよい。
【００９４】
例示的には、上記ターゲットトリガ条件に対応する管理情報が、管理動作タイプが切替動作であることを指示すれば、端末は、上記ターゲットセルに対して切替動作を実行し、即ち、上記ターゲットセルに切り替える。
【００９５】
設定情報中の他のトリガ条件については、設定情報は、上記他のトリガ条件中のいずれか１つのトリガ条件に対応する管理情報を含んでもよいことを理解されたい。
【００９６】
このように、端末は、ターゲットセルに対する管理動作の管理動作タイプを決定できるため、セル管理動作の正確性を向上させることができる。
【００９７】
本実施形態において、ネットワーク側装置は、端末が測定するセルをさらに限定することができる。好ましくは、上記設定情報は、セルリストを含み、上記設定情報に含まれる測定対象は、上記セルリストにおけるセルを含む。
【００９８】
セルリストは、測定すべきセルのリスト情報、例えば、ホワイトリスト（ｗｈｉｔｅ  Ｌｉｓｔ）であり、測定すべきセルを指示するものであることを理解されたい。さらに、該セルリストは、上記設定情報のトリガ条件に含まれてもよく、上記設定情報の測定対象に含まれてもよく、具体的には、実際の必要に応じて決定されてよく、本開示の実施例はこれを限定しない。
【００９９】
このように、端末は、上記セルリストで指示される測定すべきセルに対してのみ測定を行えばよいため、測定範囲を小さくし、さらに測定効率を向上させることができる。
【０１００】
なお、本開示の実施例において説明された様々な好ましい実施形態は、組み合わせて実現されてもよく、単独で実現されてもよく、本開示の実施例はこれらを限定しない。
【０１０１】
好ましい実施形態が組み合わせて実現される実施例については、理解を容易にするため、以下のように例示的に説明する。
【０１０２】
ステップ１：ネットワーク側装置はユーザ機器ＵＥに対して条件付きセル管理の設定情報を設定し、該設定情報の内容は、
ターゲットセル管理をトリガするトリガ条件（例えば、ｅｖｅｎｔ  １）と、
条件を満足した後にターゲットセルを管理する管理情報（例えば、ｃｏｎｆｉｇｕｒａｔｉｏｎ  １）と、
測定されるターゲットセル又は周波数ビン情報（例えば、測定対象（例えば、ｍｅａｓｕｒｅ  Ｏｂｊｅｃｔ  １））と、
「トリガ条件」と「測定されるターゲットセル又は周波数ビン情報」との関連関係情報（例えば、測定識別子（例えば、ｍｅａｓｕｒｅ  ＩＤ  １））とを含む。
【０１０３】
例えば、ネットワーク側装置は、１つ以上の「トリガ条件」（例えば、ｅｖｅｎｔ  １及びｅｖｅｎｔ  ２）を含むトリガ条件リストを設定することができる。ネットワーク側装置は、１つ以上の「測定されるターゲットセル又は周波数ビン情報」（例えば、ｍｅａｓｕｒｅ  Ｏｂｊｅｃｔ  １及びｍｅａｓｕｒｅ  Ｏｂｊｅｃｔ  ２）を設定することができる。「トリガ条件」と「ターゲットセル又は周波数ビン情報」とは、「関連関係情報」によって任意に組み合わせることができる（例えば、ｍｅａｓｕｒｅ  ＩＤ  １でｅｖｅｎｔ  １とｍｅａｓｕｒｅ  Ｏｂｊｅｃｔ  １との関連付けを識別するか、又は、ｍｅａｓｕｒｅ  ＩＤ  ２でｅｖｅｎｔ  ２とｍｅａｓｕｒｅ  Ｏｂｊｅｃｔ  ２との関連付けを識別する）。
【０１０４】
追加的に、トリガ条件を満足した後に測定報告を行う必要があるか否かを指示する指示情報をネットワーク側装置によって設定するか又はプロトコルによって規定する。例えば、プロトコルによって、「ターゲットセル管理をトリガするトリガ条件」に対応する測定に対して、該トリガ条件を満足した後に、該「トリガ条件」に対応する測定結果を報告する必要がないことを規定することができる。
【０１０５】
該「トリガ条件を満足した後に測定報告を行う必要があるか否かを指示する指示情報をネットワーク側装置によって設定するか又はプロトコルによって規定する」ことは、
特定の「ターゲットセル管理をトリガするトリガ条件」を満足した後、該「トリガ条件」に対応する測定結果を報告するか否かを指示する（例えば、該ｅｖｅｎｔ  １に対応する測定結果を報告するか否かを指示する）第１の指示情報と、
特定の「ターゲットセル管理をトリガするトリガ条件」を満足し、かつ、特定の「設定情報」が実行される場合、該「トリガ条件」に対応する測定結果を報告するか否かを指示する（例えば、ｅｖｅｎｔ  １を満足し、かつ、ｃｏｎｆｉｇｕｒａｔｉｏｎ  １が実行される場合に、対応する測定結果を報告するか否かを指示する）第２の指示情報のうちのいずれか１つを含んでよい。
【０１０６】
追加的に、ネットワーク側装置は、測定すべきセルのリスト情報（例えば、ｗｈｉｔｅ  Ｌｉｓｔ）を設定し、該セルのリスト情報は、「トリガ条件」情報に含まれてもよく、「測定されるターゲットセル又は周波数ビン情報」に含まれてもよい。
【０１０７】
ステップ２：ステップ１での設定情報に基づいて、ユーザ機器ＵＥは、「トリガ条件」と「測定されるターゲットセル又は周波数ビン情報」との関連関係情報に基づいて、該「測定されるターゲットセル又は周波数ビン情報」に対応するセル又は周波数ビンの測定を実行し、例えば、ｍｅａｓｕｒｅ  Ｏｂｊｅｃｔ  １で指示される周波数ビン１に対して測定を実行し、測定結果は、ｅｖｅｎｔ  １で指示される参照信号受信電力ＲＳＲＰである。
【０１０８】
ステップ１での設定情報が測定すべきセルのリストを指示すれば、ユーザ機器ＵＥは、指示される「測定すべきセル」に対してのみ測定を行う。
【０１０９】
ステップ１での設定情報が測定結果を報告する必要がある（ない）ことを指示すれば、ユーザ機器ＵＥは、トリガ条件を満足した後に測定結果を報告する（しない）。
【０１１０】
本実施例のセル管理方法は、少なくとも以下の改善点を有する。
【０１１１】
条件付きセル管理の新たなトリガ条件を確立し、測定識別子、測定対象及びセル管理のトリガ条件を、測定及びセル管理をトリガするトリガ条件とする。
【０１１２】
指示情報によってユーザ機器ＵＥがトリガ条件を満足する場合に測定結果を報告するか否かを制御する。
【０１１３】
セルリストを設定することにより、測定されるセルを制御する。
【０１１４】
このように、本実施例のセル管理方法で、ユーザ機器ＵＥが条件付きトリガ方式でセルを管理する場合に対応する測定を行うように制御するとともに、ユーザ機器ＵＥが測定報告を行うか否かを制御し、かつユーザ機器ＵＥによって測定されるセルを限定することができる。それにより、条件付きセル管理の動作を簡略化し、測定報告回数を低減し、測定範囲を小さくし、測定効率を向上させ、さらにシステムリソースを節約することができる。
【０１１５】
図４は、本開示の実施例に係るセル管理方法のフローチャート（その２）である。本実施例のセル管理方法は、ネットワーク側装置に適用され、ネットワーク側装置は、ソースノード又はターゲットノードであってよい。図４に示すように、本実施例のセル管理方法は、以下のステップ４０１を含む。
【０１１６】
ステップ４０１では、セル管理動作をトリガするトリガ条件及び測定対象を含む設定情報を端末に送信する。
【０１１７】
好ましくは、セル管理方法は、
測定結果を報告するか否かを指示する指示情報を上記端末に送信することをさらに含んでよい。
【０１１８】
上記指示情報は、上記設定情報に含まれてよいため、伝送シグナリングを節約できることを理解されたい。
【０１１９】
好ましくは、上記指示情報は、上記トリガ条件を満足する測定結果を報告するか否かを指示するか、又は、
上記設定情報が管理情報をさらに含む場合には、上記指示情報は、上記端末が実行する管理動作が上記管理情報に対応する管理動作である場合には、上記トリガ条件を満足する測定結果を報告するか否かを指示する。
【０１２０】
好ましくは、上記設定情報は、トリガ条件と測定対象との関連情報をさらに含む。
【０１２１】
好ましくは、上記設定情報は、セルリストを含み、上記設定情報に含まれる測定対象は、上記セルリストにおけるセルを含む。
【０１２２】
なお、本実施例は上記方法の実施例に対応するネットワーク側装置の実施形態であるため、上記方法の実施例における関連説明を参照すればよく、かつ同じ有益な効果を達成することができる。重複を避けるために、ここでは説明を省略する。
【０１２３】
図５は、本開示の実施例に係る端末の構成図（その１）である。図５に示すように、端末５００は、
ネットワーク側装置によって送信された、セル管理動作をトリガするトリガ条件及び測定対象を含む設定情報を受信する受信モジュール５０１と、
ターゲット測定対象に対してターゲットトリガ条件に対応する測定動作を実行して、測定結果を取得する測定モジュール５０２と、
上記測定結果が上記ターゲットトリガ条件を満足すれば、ターゲットセルに対して管理動作を実行する第１の管理モジュール５０３と、を含み、
上記ターゲット測定対象は、上記設定情報に含まれる測定対象のいずれかであり、上記ターゲットトリガ条件は、上記ターゲット測定対象に関連付けられる。
【０１２４】
好ましくは、上記ターゲットセルは、上記ターゲット測定対象に対応する。
【０１２５】
図５を基に、以下、端末５００にさらに含まれるモジュールを説明する。
【０１２６】
好ましくは、端末５００は、
指示情報を取得する第１の取得モジュールと、
上記取得された測定結果に対して上記指示情報に対応するターゲット動作を実行する第２の管理モジュールと、をさらに含み、
上記指示情報は、測定結果を報告するか否かを指示し、上記ターゲット動作は、報告動作又は報告放棄動作である。
【０１２７】
好ましくは、上記指示情報は、上記トリガ条件を満足する測定結果を報告するか否かを指示する。
【０１２８】
好ましくは、上記設定情報は、上記ターゲットトリガ条件に対応する管理情報をさらに含み、上記指示情報は、上記管理動作が上記管理情報に対応する管理動作である場合には、上記ターゲットトリガ条件を満足する測定結果を報告するか否かを指示する。
【０１２９】
好ましくは、上記指示情報は、ネットワーク側装置によって設定されるか、又はプロトコルによって規定される。
【０１３０】
好ましくは、上記設定情報は、トリガ条件と測定対象との関連情報をさらに含む。
【０１３１】
好ましくは、上記設定情報は、上記ターゲットトリガ条件に対応する管理情報をさらに含み、
上記第１の管理モジュール５０３は、具体的には、上記測定結果が上記ターゲットトリガ条件を満足すれば、上記ターゲットセルに対して上記管理情報に対応する管理動作を実行する。
【０１３２】
好ましくは、上記設定情報は、セルリストを含み、上記設定情報に含まれる測定対象は、上記セルリストにおけるセルを含む。
【０１３３】
端末５００は、本開示の方法の実施例における各プロセスを実現し、かつ同じ有益な効果を達成することができ、重複を避けるために、ここでは説明を省略する。
【０１３４】
図６は、本開示の実施例に係るネットワーク側装置の構成図（その１）である。図６に示すように、ネットワーク側装置６００は、
セル管理動作をトリガするトリガ条件及び測定対象を含む設定情報を端末に送信する第１の送信モジュール６０１を含む。
【０１３５】
図６を基に、以下、ネットワーク側装置６００にさらに含まれるモジュールを説明する。
【０１３６】
好ましくは、ネットワーク側装置６００は、
測定結果を報告するか否かを指示する指示情報を上記端末に送信する第２の送信モジュールをさらに含む。
【０１３７】
好ましくは、上記指示情報は、上記トリガ条件を満足する測定結果を報告するか否かを指示するか、又は、
上記設定情報が管理情報をさらに含む場合には、上記指示情報は、上記端末が実行する管理動作が上記管理情報に対応する管理動作である場合には、上記トリガ条件を満足する測定結果を報告するか否かを指示する。
【０１３８】
好ましくは、上記設定情報は、トリガ条件と測定対象との関連情報をさらに含む。
【０１３９】
好ましくは、上記設定情報は、セルリストを含み、上記設定情報に含まれる測定対象は、上記セルリストにおけるセルを含む。
【０１４０】
ネットワーク側装置６００は、本開示の方法の実施例における各プロセスを実現し、かつ同じ有益な効果を達成することができ、重複を避けるために、ここでは説明を省略する。
【０１４１】
図７は、本開示の実施例に係る端末の構成図（その２）であり、本開示の各実施例を実現する端末のハードウェア概略構成図である。図７に示すように、端末７００は、無線周波数ユニット７０１、ネットワークモジュール７０２、オーディオ出力ユニット７０３、入力ユニット７０４、センサ７０５、表示ユニット７０６、ユーザ入力ユニット７０７、インタフェースユニット７０８、メモリ７０９、プロセッサ７１０及び電源７１１などの部品を含むが、これらに限定されない。当業者が理解できるように、図７に示す端末の構造は、端末を限定するものではなく、端末は、図示より多いか又は少ない部品を含んでもよく、ある部品を組み合わせたり、部品を異なるように配置したりしてもよい。本開示の実施例において、端末は、携帯電話、タブレットコンピュータ、ノートパソコン、パームトップコンピュータ、車載端末、ウェアラブルデバイス及び歩数計などを含むが、これらに限定されない。
【０１４２】
無線周波数ユニット７０１は、ネットワーク側装置によって送信された、セル管理動作をトリガするトリガ条件及び測定対象を含む設定情報を受信し、
プロセッサ７１０は、ターゲット測定対象に対してターゲットトリガ条件に対応する測定動作を実行して、測定結果を取得し、
上記測定結果が上記ターゲットトリガ条件を満足すれば、ターゲットセルに対して管理動作を実行し、
上記ターゲット測定対象は、上記設定情報に含まれる測定対象のいずれかであり、上記ターゲットトリガ条件は、上記ターゲット測定対象に関連付けられる。
【０１４３】
好ましくは、上記ターゲットセルは、上記ターゲット測定対象に対応する。
【０１４４】
好ましくは、プロセッサ７１０は、さらに
指示情報を取得し、
上記取得された測定結果に対して上記指示情報に対応するターゲット動作を実行し、
上記指示情報は、測定結果を報告するか否かを指示し、上記ターゲット動作は、報告動作又は報告放棄動作である。
【０１４５】
好ましくは、上記指示情報は、上記トリガ条件を満足する測定結果を報告するか否かを指示する。
【０１４６】
好ましくは、上記設定情報は、上記ターゲットトリガ条件に対応する管理情報をさらに含み、上記指示情報は、上記管理動作が上記管理情報に対応する管理動作である場合には、上記ターゲットトリガ条件を満足する測定結果を報告するか否かを指示する。
【０１４７】
好ましくは、上記指示情報は、ネットワーク側装置によって設定されるか、又はプロトコルによって規定される。
【０１４８】
好ましくは、上記設定情報は、トリガ条件と測定対象との関連情報をさらに含む。
【０１４９】
好ましくは、上記設定情報は、上記ターゲットトリガ条件に対応する管理情報をさらに含み、プロセッサ７１０は、さらに、上記ターゲットセルに対して上記管理情報に対応する管理動作を実行する。
【０１５０】
好ましくは、上記設定情報は、セルリストを含み、上記設定情報に含まれる測定対象は、上記セルリストにおけるセルを含む。
【０１５１】
なお、本実施例における上記端末７００は、本開示の実施例のうちの方法の実施例における各プロセスを実現し、かつ同じ有益な効果を達成することができ、重複を避けるために、ここでは説明を省略する。
【０１５２】
本開示の実施例において、無線周波数ユニット７０１は、情報の送受信、又は通話中の信号の送受信に用いられてよく、具体的には、基地局からのダウンリンクデータを受信した後、プロセッサ７１０に処理させ、また、アップリンクデータを基地局に送信することが理解されたい。一般的には、無線周波数ユニット７０１は、アンテナ、少なくとも１つの増幅器、送受信機、カプラ、低雑音増幅器、デュプレクサなどを含むが、これらに限定されない。また、無線周波数ユニット７０１は、さらに、無線通信システムによりネットワーク及び他の装置と通信することができる。
【０１５３】
端末は、ネットワークモジュール７０２によりユーザに無線のブロードバンドインターネットアクセスを提供して、例えば、ユーザの電子メールの送受信、ウェブの閲覧及びストリーミングメディアのアクセスなどを支援する。
【０１５４】
オーディオ出力ユニット７０３は、無線周波数ユニット７０１又はネットワークモジュール７０２によって受信されるか、又はメモリ７０９に記憶されるオーディオデータをオーディオ信号に変換して音声として出力することができる。そして、オーディオ出力ユニット７０３は、さらに端末７００によって実行される特定の機能に関連するオーディオ出力（例えば、呼出音、メッセージ着信音等）を提供することができる。オーディオ出力ユニット７０３は、スピーカ、ブザー及びレシーバーなどを含む。
【０１５５】
入力ユニット７０４は、オーディオ又はビデオ信号を受信する。入力ユニット７０４は、グラフィック処理ユニット（Ｇｒａｐｈｉｃｓ  Ｐｒｏｃｅｓｓｉｎｇ  Ｕｎｉｔ、ＧＰＵ）７０４１及びマイクロフォン７０４２を含んでよく、グラフィック処理ユニット７０４１は、動画撮影モード又は撮影モードで撮影装置（例えば、カメラ）によって取得された静止画像又はビデオの画像データを処理する。処理後の画像フレームは、表示ユニット７０６に表示されてよい。グラフィック処理ユニット７０４１によって処理された画像フレームは、メモリ７０９（又は他の記憶媒体）に記憶し、或いは無線周波数ユニット７０１又はネットワークモジュール７０２を介して送信することができる。マイクロフォン７０４２は、音声を受信し、かつこのような音声をオーディオデータに処理することができる。処理後のオーディオデータは、電話通話モードで無線周波数ユニット７０１によって移動通信基地局に送信可能なフォーマットに変換して出力することができる。
【０１５６】
端末７００は、光センサ、動きセンサ及び他のセンサなどの少なくとも１種のセンサ７０５をさらに含んでよい。具体的には、光センサは、環境光線の明るさに応じて表示パネル７０６１の輝度を調節することができる環境光センサと、端末７００が耳元に移動するときに、表示パネル７０６１及び／又はバックライトをオフにすることができる近接センサとを含む。動きセンサの１種として、加速センサは、各方向（一般に３軸）の加速度の大きさを検出でき、静止時に重力の大きさ及び方向を検出でき、端末姿勢（例えば、縦向き／横向きの切替、ゲーム関連、磁力計の姿勢較正）の識別、振動識別に関連する機能（例えば、歩数計、タッピング）などに用いられてよく、センサ７０５は、指紋センサ、圧力センサ、虹彩センサ、分子センサ、ジャイロスコープ、気圧計、湿度計、温度計、赤外線センサなどをさらに含んでよく、ここでは説明を省略する。
【０１５７】
表示ユニット７０６は、ユーザによって入力された情報又はユーザに提供する情報を表示する。表示ユニット７０６は、表示パネル７０６１を含んでよく、液晶ディスプレイ（Ｌｉｑｕｉｄ  Ｃｒｙｓｔａｌ  Ｄｉｓｐｌａｙ、ＬＣＤ）、有機発光ダイオード（Ｏｒｇａｎｉｃ  Ｌｉｇｈｔ−Ｅｍｉｔｔｉｎｇ  Ｄｉｏｄｅ、ＯＬＥＤ）などの形態で表示パネル７０６１を構成することができる。
【０１５８】
ユーザ入力ユニット７０７は、入力された数字又は文字情報を受信すること、及び端末のユーザ設定及び機能制御に関連するキー信号入力を生成することができる。具体的には、ユーザ入力ユニット７０７は、タッチパネル７０７１及び他の入力装置７０７２を含む。タッチパネル７０７１は、タッチスクリーンとも呼ばれ、タッチパネル又はその近くでのユーザのタッチ操作（例えば、指、スタイラスペンなどの任意の適切な物体又は付属品を用いたタッチパネル７０７１で又はタッチパネル７０７１の近くでのユーザの操作）を収集することができる。タッチパネル７０７１は、タッチ検出装置及びタッチコントローラの二部分を含んでよい。タッチ検出装置は、ユーザのタッチ方向を検出し、タッチ操作による信号を検出し、信号をタッチコントローラに伝送し、タッチコントローラは、タッチ検出装置からタッチ情報を受信し、タッチポイント座標に変換して、プロセッサ７１０に送信し、プロセッサ７１０から送信されたコマンドを受信し、実行する。また、抵抗式、容量式、赤外線式及び表面弾性波式などの様々なタイプでタッチパネル７０７１を実現することができる。タッチパネル７０７１に加えて、ユーザ入力ユニット７０７は、他の入力装置７０７２をさらに含んでよい。具体的には、他の入力装置７０７２は、物理キーボード、機能キー（例えば、ボリューム調節キー、スイッチキーなど）、トラックボール、マウス及び操作レバーを含み得るが、これらに限定されず、ここでは説明を省略する。
【０１５９】
さらに、タッチパネル７０７１は、表示パネル７０６１をカバーすることができ、タッチパネル７０７１がタッチパネル又はその近くでのタッチ操作を検出した後、プロセッサ７１０に伝送してタッチイベントのタイプを決定し、その後に、プロセッサ７１０は、タッチイベントのタイプに応じて対応する視覚的出力を表示パネル７０６１に提供する。図７において、タッチパネル７０７１と表示パネル７０６１は、２つの独立した部品として端末の入出力機能を実現するが、いくつかの実施例において、タッチパネル７０７１と表示パネル７０６１を一体化して端末の入出力機能を実現してもよく、ここでは具体的に限定しない。
【０１６０】
インタフェースユニット７０８は、外部装置と端末７００を接続するインタフェースである。例えば、外部装置は、有線又は無線ヘッドフォンポート、外部電源（又は電池充電器）ポート、有線又は無線データポート、メモリカードポート、識別モジュールを備えた装置との接続用ポート、オーディオ入力／出力（Ｉ／Ｏ）ポート、ビデオＩ／Ｏポート、ヘッドフォンポート等を含んでよい。インタフェースユニット７０８は、外部装置からの入力（例えば、データ情報、電力など）を受信すると共に、受信した入力を端末７００内の１つ以上の素子に伝送するか又は端末７００と外部装置との間のデータ伝送に用いる。
【０１６１】
メモリ７０９は、ソフトウェアプログラム及び様々なデータを記憶することができる。メモリ７０９は、主に、オペレーティングシステム、少なくとも１つの機能（例えば、音声再生機能、画像再生機能など）に必要なアプリケーションプログラムなどを記憶することができるプログラム記憶領域と、携帯電話の使用に応じて作成されたデータ（例えば、オーディオデータ、電話帳など）などを記憶することができるデータ記憶領域とを含んでよい。また、メモリ７０９は、高速ランダムアクセスメモリを含んでもよく、少なくとも１つの磁気ディスクメモリ素子、フラッシュメモリ素子又は他の揮発性固体メモリ素子などの不揮発性メモリを含んでもよい。
【０１６２】
プロセッサ７１０は、端末の制御センターであり、様々なインタフェースと回線により端末全体の各部分に接続され、メモリ７０９に記憶されているソフトウェアプログラム及び／又はモジュールを動作させるか又は実行し、メモリ７０９に記憶されたデータを呼び出すことにより、端末の様々な機能とデータ処理を実行して、端末全体を制御する。プロセッサ７１０は、１つ以上の処理ユニットを含んでよく、好ましくは、プロセッサ７１０は、主にオペレーティングシステム、ユーザインタフェース及びアプリケーションプログラムなどを処理するアプリケーションプロセッサと、主に無線通信を処理するモデムプロセッサとを集積することができる。上記モデムプロセッサは、プロセッサ７１０に集積されなくてもよいことを理解されたい。
【０１６３】
端末７００は、各部品に給電する電源７１１（例えば、電池）を含んでよく、好ましくは、電源７１１は、電源管理システムによりプロセッサ７１０と論理的に接続されて、電源管理システムにより充電、放電の管理及び消費電力の管理等の機能を実現する。
【０１６４】
また、端末７００は、いくつかの未図示の機能モジュールを含み、ここでは説明を省略する。
【０１６５】
好ましくは、本開示の実施例は、プロセッサ７１０と、メモリ７０９と、メモリ７０９に記憶されて上記プロセッサ７１０上で実行可能で、プロセッサ７１０によって実行されると、上記セル管理方法の実施例の各プロセスを実現し、かつ同じ技術的効果を達成できるコンピュータプログラムとを含む端末をさらに提供し、重複を避けるために、ここでは説明を省略する。
【０１６６】
図８は、本開示の実施例に係るネットワーク側装置の構成図（その２）であり、図８に示すように、ネットワーク側装置８００は、プロセッサ８０１、メモリ８０２、ユーザインタフェース８０３、トランシーバ８０４及びバスインタフェースを含む。
【０１６７】
トランシーバ８０４は、セル管理動作をトリガするトリガ条件及び測定対象を含む設定情報を端末に送信する。
【０１６８】
好ましくは、トランシーバ８０４は、さらに、測定結果を報告するか否かを指示する指示情報を上記端末に送信する。
【０１６９】
好ましくは、上記指示情報は、上記トリガ条件を満足する測定結果を報告するか否かを指示するか、又は、
上記設定情報が管理情報をさらに含む場合には、上記指示情報は、上記端末が実行する管理動作が上記管理情報に対応する管理動作である場合には、上記トリガ条件を満足する測定結果を報告するか否かを指示する。
【０１７０】
好ましくは、上記設定情報は、トリガ条件と測定対象との関連情報をさらに含む。
【０１７１】
好ましくは、上記設定情報は、セルリストを含み、上記設定情報に含まれる測定対象は、上記セルリストにおけるセルを含む。
【０１７２】
図８において、バスアーキテクチャは、任意の数の相互接続されたバス及びブリッジを含んでよく、具体的には、プロセッサ８０１を代表とする１つ以上のプロセッサ及びメモリ８０２を代表とするメモリの様々な回路によって一体に接続される。バスアーキテクチャは、さらに、周辺装置、スタビライザ及びパワー管理回路などの様々なその他の回路を一体に接続してもよく、これらはいずれも本分野において既知のものであるため、本明細書においてさらに説明しない。バスインタフェースは、インタフェースを提供する。トランシーバ８０４は、複数の部品であってよく、即ち、送信機及び受信機を含み、伝送媒体で様々な他の装置と通信するためのユニットを提供する。異なるユーザ装置に応じて、ユーザインタフェース８０３は、必要な装置を外接及び内接できるインタフェースであってもよく、接続された装置は、キーパッド、ディスプレイ、スピーカ、マイクロフォン、ジョイスティックなどを含むが、それらに限定されない。
【０１７３】
プロセッサ８０１は、バスアーキテクチャ及び一般的な処理の管理を担当し、メモリ８０２は、プロセッサ８０１が操作実行時に用いられるデータを記憶してよい。
【０１７４】
ネットワーク側装置８００は、上記方法の実施例におけるネットワーク側装置によって実現される各プロセスを実現することができ、重複を避けるために、ここでは説明を省略する。
【０１７５】
本開示の実施例は、プロセッサによって実行されると、上記セル管理方法の実施例の各プロセスを実現し、かつ同じ技術的効果を達成できるコンピュータプログラムが記憶されているコンピュータ可読記憶媒体をさらに提供し、重複を避けるために、ここでは説明を省略する。上記コンピュータ可読記憶媒体は、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなどであってよい。
【０１７６】
なお、本明細書において、用語「含む」、「取り込まれる」及びそれらのいかなる変形は、非排他的な包含をカバーすることを意図し、一連の要素を含むプロセス、方法、製品又は装置は、それらの要素を含むだけでなく、明確に例示されていない他の要素をさらに含むか、又はこれらの手順、方法、製品又は装置に固有の要素をさらに含む。更なる限定がない限り、語句「・・・を含む」により限定された要素は、該要素を含むプロセス、方法、物品又は装置に別の同一の要素がさらに存在する可能性がある。
【０１７７】
以上の実施形態の説明により、当業者が明確に理解できるように、上記実施例の方法はソフトウェアと必要な汎用ハードウェアプラットフォームを併用した方法で実現でき、当然のことながらハードウェアでも実現できるが、多くの場合に前者がより好ましい実施形態である。このような理解に基づいて、本開示の技術手段は、本質的又は関連技術に寄与する部分が、ソフトウェア製品の形態で具現化されてよく、該コンピュータソフトウェア製品は、記憶媒体（例えば、ＲＯＭ／ＲＡＭ、磁気ディスク、光ディスク）に記憶されており、一台の端末（携帯電話、コンピュータ、サーバ、エアコン又はネットワーク機器などであってもよい）に本開示の各実施例に記載の方法を実行させるための複数の命令を含む。
【０１７８】
以上で図面を参照しながら本開示の実施例を説明したが、本開示は、上記具体的な実施形態に限定されるものではなく、上記具体的な実施形態は、制限的なものではなく、例示的なものに過ぎず、当業者であれば、本開示の示唆に基づき、本開示の趣旨及び特許請求の範囲の保護範囲から逸脱せずに多くの形式を行うことができ、これらは、いずれも本開示の保護範囲内に属する。
【図１】
2021526771.tif 000003
【図２】
2021526771.tif 000004
【図３】
2021526771.tif 000005
【図４】
2021526771.tif 000006
【図５】
2021526771.tif 000007
【図６】
2021526771.tif 000008
【図７】
2021526771.tif 000009
【図８】
2021526771.tif 000010
【手続補正書】
【提出日】令和3年1月13日(2021.1.13)
【手続補正１】
【補正対象書類名】明細書
【補正対象項目名】００１５
【補正方法】変更
【補正の内容】
【００１５】
【図１】関連技術に係る条件付き切替のフローチャートである。
【図２】本開示の実施例が適用可能なネットワークシステムの構成図である。
【図３】本開示の実施例に係るセル管理方法のフローチャート（その１）である。
【図４】本開示の実施例に係るセル管理方法のフローチャート（その２）である。
【図５】本開示の実施例に係る端末の構成図（その１）である。
【図６】本開示の実施例に係るネットワーク側装置の構成図（その１）である。
【図７】本開示の実施例に係る端末の構成図（その２）である。
【図８】本開示の実施例に係るネットワーク側装置の構成図（その２）である。
【手続補正２】
【補正対象書類名】明細書
【補正対象項目名】００１６
【補正方法】変更
【補正の内容】
【００１６】
以下、本開示の実施例における図面を参照しながら、本開示の実施例における技術手段を明確に説明する。明らかに、説明される実施例は、本開示の実施例の一部に過ぎず、全てではない。本開示の実施例に基づいて、当業者が創造的な労働をしない前提で得る他の全ての実施例は、いずれも本開示の保護範囲に属するものである。
【手続補正３】
【補正対象書類名】明細書
【補正対象項目名】００３７
【補正方法】変更
【補正の内容】
【００３７】
図１に示すように、ターゲットノードｂは、ソースノードに条件付き切替キャンセル確認コマンド（Ｃｏｎｄｉｔｉｏｎａｌ  ＨＯ  Ｃａｎｃｅｌｌａｔｉｏｎ  Ｃｏｎｆｉｒｍａｔｉｏｎ）を送信する。
【手続補正４】
【補正対象書類名】明細書
【補正対象項目名】００５１
【補正方法】変更
【補正の内容】
【００５１】
上記設定情報中のトリガ条件は、セル管理動作をトリガする閾値を含んでよいが、これに限定されない。さらに、上記設定情報中のトリガ条件は、さらにセル管理動作をトリガする測定パラメータを含んでよく、測定パラメータは、参照信号受信電力（ＲＳＲＰ）、参照信号受信品質（ＲＳＲＱ）、及び信号対干渉雑音比（Ｓｉｇｎａｌ  ｔｏ  Ｉｎｔｅｒｆｅｒｅｎｃｅ  Ｐｌｕｓ  Ｎｏｉｓｅ  Ｒａｔｉｏ、ＳＩＮＲ）などのうちの少なくとも１つを含んでよいが、これらに限定されない。
【手続補正５】
【補正対象書類名】明細書
【補正対象項目名】００５７
【補正方法】変更
【補正の内容】
【００５７】
好ましい実施形態として、本ステップにおける設定情報は、トリガ条件リスト、測定対象リスト及び関連関係リストを含んでよく、具体的には、上記トリガ条件リストは、１つ以上のトリガ条件、例えば、ｅｖｅｎｔ  １及びｅｖｅｎｔ  ２を含み、測定対象リストは、１つ以上の測定対象、例えば、ｍｅａｓｕｒｅ  Ｏｂｊｅｃｔ  １及びｍｅａｓｕｒｅ  Ｏｂｊｅｃｔ  ２を含み、上記関連関係リストは、トリガ条件と測定対象との関連関係、例えば、ｍｅａｓｕｒｅ  ＩＤ  １とｍｅａｓｕｒｅ  ＩＤ  ２を含み、ここで、ｍｅａｓｕｒｅ  ＩＤ  １は、ｅｖｅｎｔ  １とｍｅａｓｕｒｅ  Ｏｂｊｅｃｔ  １との関連付けを識別することができ、ｍｅａｓｕｒｅ  ＩＤ  ２は、ｅｖｅｎｔ  ２とｍｅａｓｕｒｅ  Ｏｂｊｅｃｔ  ２との関連付けを識別することができる。
【手続補正６】
【補正対象書類名】特許請求の範囲
【補正対象項目名】全文
【補正方法】変更
【補正の内容】
【特許請求の範囲】
【請求項１】
端末に適用されるセル管理方法であって、
ネットワーク側装置によって送信された、セル管理動作をトリガするトリガ条件及び測定対象を含む設定情報を受信することと、
ターゲット測定対象に対してターゲットトリガ条件に対応する測定動作を実行して、測定結果を取得することと、
前記測定結果が前記ターゲットトリガ条件を満足すれば、ターゲットセルに対して管理動作を実行することと、を含み、
前記ターゲット測定対象は、前記設定情報に含まれる測定対象のいずれかであり、前記ターゲットトリガ条件は、前記ターゲット測定対象に関連付けられる、セル管理方法。
【請求項２】
指示情報を取得することと、
前記取得された測定結果に対して前記指示情報に対応するターゲット動作を実行することと、をさらに含み、
前記指示情報は、測定結果を報告するか否かを指示し、前記ターゲット動作は、報告動作又は報告放棄動作である、請求項１に記載のセル管理方法。
【請求項３】
前記指示情報は、前記トリガ条件を満足する測定結果を報告するか否かを指示する、請求項２に記載のセル管理方法。
【請求項４】
前記設定情報は、前記ターゲットトリガ条件に対応する管理情報をさらに含み、前記指示情報は、前記管理動作が前記管理情報に対応する管理動作である場合には、前記ターゲットトリガ条件を満足する測定結果を報告するか否かを指示する、請求項３に記載のセル管理方法。
【請求項５】
前記設定情報は、トリガ条件と測定対象との関連情報をさらに含み、
及び/又は
前記設定情報は、前記ターゲットトリガ条件に対応する管理情報をさらに含み、前記ターゲットセルに対して管理動作を実行することは、
前記ターゲットセルに対して前記管理情報に対応する管理動作を実行することを含み、
及び/又は
前記設定情報は、セルリストを含み、前記設定情報に含まれる測定対象は、前記セルリストにおけるセルを含む、請求項１に記載のセル管理方法。
【請求項６】
ネットワーク側装置に適用されるセル管理方法であって、
セル管理動作をトリガするトリガ条件及び測定対象を含む設定情報を端末に送信することを含む、セル管理方法。
【請求項７】
測定結果を報告するか否かを指示する指示情報を前記端末に送信することをさらに含む、請求項６に記載の方法。
【請求項８】
前記指示情報は、前記トリガ条件を満足する測定結果を報告するか否かを指示し、
又は
前記設定情報が管理情報をさらに含む場合には、前記指示情報は、前記端末によって実行される管理動作が前記管理情報に対応する管理動作である場合には、前記トリガ条件を満足する測定結果を報告するか否かを指示する、請求項７に記載のセル管理方法。
【請求項９】
前記設定情報は、トリガ条件と測定対象との関連情報をさらに含み、
及び/又は
前記設定情報は、セルリストを含み、前記設定情報に含まれる測定対象は、前記セルリストにおけるセルを含む、請求項６に記載のセル管理方法。
【請求項１０】
ネットワーク側装置によって送信された、セル管理動作をトリガするトリガ条件及び測定対象を含む設定情報を受信する受信モジュールと、
ターゲット測定対象に対してターゲットトリガ条件に対応する測定動作を実行して、測定結果を取得する測定モジュールと、
前記測定結果が前記ターゲットトリガ条件を満足すれば、ターゲットセルに対して管理動作を実行する第１の管理モジュールと、を含み、
前記ターゲット測定対象は、前記設定情報に含まれる測定対象のいずれかであり、前記ターゲットトリガ条件は、前記ターゲット測定対象に関連付けられる、端末。
【請求項１１】
指示情報を取得する第１の取得モジュールと、
前記取得された測定結果に対して前記指示情報に対応するターゲット動作を実行する第２の管理モジュールと、をさらに含み、
前記指示情報は、測定結果を報告するか否かを指示し、前記ターゲット動作は、報告動作又は報告放棄動作である、請求項１０に記載の端末。
【請求項１２】
前記指示情報は、前記トリガ条件を満足する測定結果を報告するか否かを指示する、請求項１１に記載の端末。
【請求項１３】
セル管理動作をトリガするトリガ条件及び測定対象を含む設定情報を端末に送信する第１の送信モジュールを含む、ネットワーク側装置。
【請求項１４】
測定結果を報告するか否かを指示する指示情報を前記端末に送信する第２の送信モジュールをさらに含む、請求項１３に記載のネットワーク側装置。
【請求項１５】
プロセッサによって実行されると、請求項１〜９のいずれか１項に記載のセル管理方法のステップを実現するコンピュータプログラムが記憶されている、コンピュータ可読記憶媒体。
【国際調査報告】
2021526771.tif 000011
2021526771.tif 000012
2021526771.tif 000013
2021526771.tif 000014